(57)【要約】【課題】本発明の目的は、携帯に適する大きさでありながら、より遠くに投げることのできる構造をもつ、新規な釣り具を開発する事である。【解決手段】釣り糸巻き取り用のスプールの回転方位とほぼ同じ方向に釣り糸を引き取り、スプールに巻き取って行く釣り糸の巻き取り方法を有しながらも、釣り糸を遠投するときにはそのガイド用の穴をスプールの中心軸とほぼ平行の延長線上に持っていくことにより、スプールに巻き取られた釣り糸が自然にほぐれて繰り出されて行くようにしてあることを特徴とする機能を有し、その発明により、携帯に適する大きさにできることを特徴とする釣り用具。【選択図】図１
2005192433.tif 000002
【特許請求の範囲】
【請求項１】
釣り糸巻き取り用のスプールの回転方位とほぼ同じ方向に釣り糸を引き取り、釣り糸用のスプールに巻き取って行く釣り糸の巻き取り方法を有しながらも、釣り糸を遠投するときにはそのガイドをスプールの中心軸とほぼ平行の延長線上に持っていくことにより、スプールに巻き取られた釣り糸が自然にほぐれて繰り出されて行くようにしてあることを特徴とする釣り糸の遠投方法。
【請求項２】
適当な大きさの折りたたみ可能な蓋付きのケースの内部に釣り糸巻き用のスプールを、その回転用のハンドルをケースの外から糸が巻けるように取付け、且つその蓋を半開きにすると蓋のどちらか一方の隅に開けた釣り糸ガイド用の穴がスプールの中心軸とほぼ平行の延長線上に来るように配したことを特徴とする釣り用具。
【発明の詳細な説明】
【技術分野】
【０００１】本発明は、携帯に適する大きさでありながら、より遠くに投げれる構造をもつ新規な釣り具に関する。
【背景技術】
【０００２】魚を釣る時は、餌又は疑似餌のついた釣り針を目的のポイントに投げるために、竿と魚釣り用リールを使うのが一般的である。しかしながら、それらは後述するリールの機能により制限や問題点があり小型化が難しく、したがって携帯が不便である。【０００３】以下、魚釣り用リールについて詳述する。魚釣り用リールには、大別してスピニングリールと両軸受型又は片軸受型リールと呼ばれるドラム状のリールとがある。【０００４】スピニングリールは、一般的に先端にスプールが取着された往復軸が軸方向にスライドし、且つ前記スプールの周りをベールアームに取り付けられたラインローラが回転し、釣り糸をスプールの近傍で方向転換させて整然と螺旋状に巻き取っていくようになっている。遠投時には、ベールアームを倒してラインローラから釣り糸を外し、スプールに巻き取られた釣り糸がスプールから自然にほぐれて繰り出されて行くようにしてある。したがってスピニングリールはその構造上、ある程度より小さくすると釣り糸の長さが短くなるなど実用に耐えなくなり、携帯用にするのには限界がある。【０００５】一方、両軸受型リール又は片軸受型リールは釣り糸の巻き取り方向に一致させて、ドラム状のスプールに釣り糸を巻き取って行く。遠投時には釣り糸の引き出し力によってスプールを回転させつつ釣り糸を繰り出さねばならず、スプールの回転分だけ遠投距離が低下するという問題がある。また、遠投初期の糸の引っ張り力により、スプールの回転が糸の出る速度より早くなり空回り状になるために、巻き取ってある糸が緩んで絡まる原因になる。それを防ぐためにスプールに指をあてがって回転の調節をしなければならない。これは熟練を要するため、初心者などはおもりや浮きなどを小さく軽くした場合、目的のポイントにまで投げる事が難しい。したがって、小さな魚を釣ろうとする場合でも、重いなまりを使わなくてはならないなど、大きな仕掛けが必要である。
【発明の開示】
【発明が解決しようとする課題】
【０００６】本発明は、かかる従来の片軸受型リールの形状をもち、機能的にはスピニングリールの遠投方法を取り入れたもので、その解決しようとする課題は、糸巻き機自身の回転による距離の低下や糸の絡まりの少ない遠投方法と、その方法を利用した、携帯に適した大きさの釣り具を開発する事である。
【課題を解決するための手段】
【０００７】請求項１に記載の本発明方法は、携帯用釣り具（Ａ）における釣り糸の遠投方法に関するもので、釣り糸巻き取り用のスプール（１）の回転方位とほぼ同じ方向に釣り糸（２）を引き取り、釣り糸用のスプール（１）に巻き取って行く釣り糸の巻き取り方法を有しながらも、釣り糸（２）を遠投するときにはそのガイド用の穴（３）をスプール（１）の中心軸とほぼ平行の延長線上に持っていくことにより、スプール（１）に巻き取られた釣り糸（２）が自然にほぐれて繰り出されて行くようにしてあることを特徴とする【０００８】これにより、ガイド用の穴（３）の位置を変えるだけで、釣り糸（２）を遠投するときのスプール（１）自身の回転による距離の低下や、絡まりを少なくすることができる。【０００９】請求項２は前記方法を利用した画期的な携帯用釣り具（Ａ）の基本構造で、適当な大きさの折りたたみ可能な蓋付きのケース（４）の内部に釣り糸巻き用のスプール（１）を、その回転用のハンドル（６）をケース（４）の外から糸が巻けるように取付け、且つその蓋（５）を半開きにすると蓋（５）のどちらか一方の隅に開けた釣り糸ガイド用の穴（３）がスプール（１）の中心軸とほぼ平行の延長線上に来るように配したことを特徴とする釣り用具。
【発明の効果】
【００１０】本発明は、見かけは、スピニングリールよりスプールを小型化できる片軸受型リールの形状でありながら、遠投時にはスピニングリールの機能と同じく、釣り糸をスプールの軸方向に引っぱり出すことの出来る構造をしているという特徴をもつ。
したがって、遠投をする際にスプールが回転しないので、釣り糸の飛距離低下や、空回り防止のための熟練を要することなく使用できるという利点があり、その結果、スプールを収納するケースを小さくでき、携帯に苦にならない大きさにすることが可能になる。また、本発明装置は上記構造であるから、前記方法を実施する事が出来る。
【発明を実施するための最良の形態】
【００１１】以下、本発明を実施するための最良の形態を図に基づいて説明する。魚釣り用リールは、大小様々なものがあり、また、対象とする魚によって様々な形状のものがある。一般的にはスピニングリール、両軸受型リール又は片軸受型リールなどがある。また、それらリールを用いた釣り具も多種にわたる。【００１２】本発明は、コンクリート製の防波堤や岸壁のような比較的整備された、なだらかな海岸線のところで、浮き釣りのような比較的竿の長さに依存しない釣りの方法に適した釣り具である。とはいえ、その熟練度によってはどんな場所での魚釣りにも使用できる。釣り竿は対象魚によっては、最小限の大きさか又は設けなくても良く、スプール（１）を小さくコンパクトにケース（４）に収納する事により、より携帯に便利な釣り具を開発する事ができる。【００１３】図６は本発明の遠投の際に釣り糸（２）を送り出す原理を示すスプール（１）の部分断面図である。【００１４】ケースに（４）に取り付けられたスプール（１）に釣り糸（２）が巻いてあり、ガイド用穴（３）を介して任意の方向へ延びていて、ハンドル（６）を回す事により、スプール（１）が回転して、釣り糸（２）を巻き取る事ができる。ガイド用穴（３）は、釣り糸（２）を巻き取る時にはＢの位置に、遠投する時にはＣの位置にもっていく。今それぞれの場合の説明をすると、ドラム状のスプール（１）に、釣り糸（２）を巻き取る時には、ガイド用穴（３）が巻き取り方向と一致するようにＢの位置にあるので、スムーズに巻き取って行くことができる。【００１５】釣り糸（２）の遠投の際には、ガイド用穴（３）をスプール軸（７）とほぼ平行の延長線上であるＣの位置に持っていくことにより、スプール（１）に巻き取られた釣り糸（２）が自然にほぐれて繰り出されて行くようにしてある。これにより、スプール（１）自身の回転による飛距離の低下や、絡まりを少なくすることができる。この遠投方法を用いる事で、釣り糸（２）を巻くリールの形状を片軸受型リールにすることが可能になり、ケース（４）に簡単に、且つコンパクトに収める事ができる。
【実施例１】
【００１６】以上説明した本発明の好ましい実施の形態をさらに明確化するために、以下図面を参照して、本発明の一実施例を説明する。【００１７】図１は本発明の一実施例である釣り用具（Ａ）の遠投の際に開く角度にしたものを上方向から見た平断面図、図２はその釣り具の蓋を閉じた時の上方向から見た断面図、図３は第２図の片側面図であり、図４は図１の斜視図である。【００１８】本実施例は、前記原理を利用したもので、適当な大きさの折りたたみ可能な蓋付きのケース（４）の内部に釣り糸巻き用のスプール（１）を、その回転用のハンドル（６）をケース（４）の外から糸が巻けるように取付け、且つその蓋（５）を閉じた時には、蓋（５）のどちらか一方の隅に開けた釣り糸ガイド用の穴（３）が、釣り糸（２）の巻き取り方向に一致し、半開きにするとスプール軸（７）とほぼ平行の延長線上に来るように配したことを特徴とする釣り用具である。【００１９】その操作方法を説明すると、通常の携帯の場合には、図２のごとく折りたたんだ状態でポケットやバッグに入れて持ち運びをする。次に魚を釣る場合を説明する。従来通り、浮き釣り糸（２）の糸先の釣り針に餌を付ける。そして、浮き釣り糸（２）を遠投する際に、図２のごとく半開き状態のまま片手の平及び指で固定する。その時、スプール（１）に巻き取られた釣り糸（２）が自然にほぐれて緩んでくるのを防ぐため、親指で釣り糸（２）をスプール（１）に押し当てて止める。釣り糸（２）を投げるための腕を振るタイミングに合わせてその指を離す。この遠投のための動作は熟練を要さず、誰でも簡単に取得出来る。その後、糸先が入水したのを確認したら蓋（５）を閉じ、従来どおりの魚釣りをする。釣り糸（２）を巻き取る時には、蓋（５）を閉じた状態でハンドル（６）を回転させる。
【図面の簡単な説明】
【００２０】
【図１】本発明の遠投の際に開く角度にしたものを上方向から見た平断面図
【図２】図１を閉じた際の平段面図
【図３】図２の片側面図
【図４】図１の斜視図
【図５】図１を全開した際の内側から見た側面図
【図６】本発明の遠投の際の釣り糸の送り出しの原理を示すスプール部分の部分断面図
【符号の説明】
【００２１】１  スプール
２  釣り糸
３  ガイド用穴
４  ケース
５  蓋
６  ハンドル
７  スプール軸
【図１】
2005192433.tif 000003
【図２】
2005192433.tif 000004
【図３】
2005192433.tif 000005
【図４】
2005192433.tif 000006
【図５】
2005192433.tif 000007
【図６】
2005192433.tif 000008